(57)【要約】      （修正有）【課題】水泳プールにおいてコースを仕切るコースロープに取り付けられるフロートの、隣接コース間における波の波及抑制機能を向上させたコースロープ用フロートを提供する。【解決手段】コースロープが挿通されるロープ挿通孔１４を備え、そのロープ挿通孔１４に直角な切断平面による横断面形状が左右方向より上下方向に長い縦長形状であり、水に浮かべた場合に、ロープ挿通孔１４の中心線がほぼ水面上に位置するとともに、そのロープ挿通孔１４の中心線２８から下端までの距離が、そのロープ挿通孔１４の中心線２８から上端までの距離の１．５倍以上となる縦長の姿勢を保つ比重配分とする。例えば、上部１６を空気で満たされた密閉空間２２を有するものとする一方、下部１８を外部に開放された開放空間２４を備え、その密閉空間２４の下端に金属製の錘２６を配設する。【選択図】図２
0003186817.tif 000002
【実用新案登録請求の範囲】
【請求項１】
プールにおいてコースを仕切るコースロープに取り付けられるフロートであって、
コースロープが挿通されるロープ挿通孔を備え、そのロープ挿通孔に直角な切断平面による横断面形状が左右方向より上下方向に長い縦長形状であり、水に浮かべた場合に、前記ロープ挿通孔の中心線がほぼ水面上に位置するとともに、そのロープ挿通孔の中心線から下端までの距離が、そのロープ挿通孔の中心線から上端までの距離の１．５倍以上となる縦長の姿勢を保つ比重配分とされたコースロープ用フロート。
【請求項２】
前記縦長の姿勢が、前記ロープ挿通孔の中心線から下端までの距離がロープ挿通孔の中心線から上端までの距離の２倍以上となる請求項１に記載のコースロープ用フロート。
【請求項３】
前記縦長の姿勢が、前記ロープ挿通孔の中心線から下端までの距離がロープ挿通孔の中心線から上端までの距離の２．５倍以上となる請求項１に記載のコースロープ用フロート。
【請求項４】
前記横断面形状が、上下方向の中間部においてくびれた形状を成す請求項１ないし３のいずれかに記載のコースロープ用フロート。
【請求項５】
前記横断面形状が、前記ロープ挿通孔の中心線の位置から下方へ垂下した幅一定部を備えた形状を成す請求項１ないし３のいずれかに記載のコースロープ用フロート。
【請求項６】
前記横断面形状が、前記ロープ挿通孔の中心線の位置から下方へ垂下した幅漸減部を備えた形状を成す請求項１ないし３のいずれかに記載のコースロープ用フロート。
【請求項７】
前記横断面形状が、前記ロープ挿通孔の中心線の位置から下方へ垂下した幅漸増部を備えた形状を成す請求項１ないし３のいずれかに記載のコースロープ用フロート。
【請求項８】
上部に密閉された空洞を備えた請求項１ないし７のいずれかに記載のコースロープ用フロート。
【請求項９】
下部に当該フロートの本体を形成する材料より比重の大きい材料から成る錘が配設された請求項１ないし８のいずれかに記載のコースロープ用フロート。
【請求項１０】
前記ロープ挿通孔の中心線に平行な方向における中間部が、前記横断面形状を規定する外壁部と、その外壁部の内側に形成されて外部と連通させられた解放空洞部とを備えた請求項１ないし９のいずれかに記載のコースロープ用フロート。
【考案の詳細な説明】
【技術分野】
【０００１】
本考案は、プール内のコースを仕切るコースロープ用のフロートに関するものである。
【背景技術】
【０００２】
コースロープ用フロートは、下記特許文献をはじめ多数の特許文献に記載されている。
特許文献１に記載のフロートは、多孔筒と浮材とから成るものであり、多孔筒は不規則に湾曲した多数の樹脂線が互いに絡み合わされて成る中空筒状の部材であり、水を通すものであるが、その内部に、例えば、発泡スチロール樹脂から成る多数の浮材が詰められることにより、全体として水に浮くように構成されている。多孔筒は、コースロープが挿通される挿通孔を有するが、その挿通孔に直角な切断平面による横断面形状が円形のものと、横方向の寸法が縦方向の寸法がより大きい扁平な形状のものとが開示されている。
特許文献２に記載のフロートも、コースロープが挿通される挿通孔を有する筒体とされているが、その挿通孔に直角な切断平面による横断面形状が径方向外向きに放射状に延び出た４枚の翼板を備え、概して十字形状を成すものとされている。
また、特許文献３に記載のフロートも、コースロープが挿通される挿通孔を有するが、その挿通孔は軸管により形成されており、その軸管に加えて、大径のリングと、そのリングと軸管とを同心につなぐ放射状の複数枚の羽根ないし翼板とを備えたものとされている。このフロート自体は、コースロープをほぼ半径方向に着脱可能でありながら、自然には外れないように工夫した点に特徴を有しているが、消波機能は主として複数の翼板を備えたフロート全体の回転により発揮するものであり、同種のフロートは特許文献４をはじめとして相当数の特許文献に記載されている。
【先行技術文献】
【特許文献】
【０００３】
【特許文献１】特開２００１−８１９８８号公報
【特許文献２】特開平１０−１９２５６５号公報
【特許文献３】特開２００７−１９０２３１号公報
【特許文献４】実開平５−６３６００号公報
【考案の概要】
【考案が解決しようとする課題】
【０００４】
本考案の考案者は、プール内において泳者により発生させられる波が隣のコースまで波及するのは、波がフロートの上方を超えることによるのみではなく、フロートの下方を潜ることにもよるのであり、その観点からすれば従来のフロートは必ずしも最良のものとは言い得ないことに気付いた。本考案は、この観点から、コースロープ用フロートを改善することを課題として為されたものである。
【課題を解決するための手段】
【０００５】
上記課題を解決するために、本考案に係るコースロープ用フロートは、コースロープが挿通されるロープ挿通孔を備え、そのロープ挿通孔に直角な切断平面による外表面の横断面形状が左右方向より上下方向に長い縦長形状であり、水に浮かべた場合に、ロープ挿通孔の中心線がほぼ水面上に位置するとともに、そのロープ挿通孔の中心線から下端までの距離が、そのロープ挿通孔の中心線から上端までの距離の１．５倍以上となる縦長の姿勢を保つ比重配分とされたことを特徴とする。
上記縦長の姿勢において、ロープ挿通孔の中心線から下端までの距離がロープ挿通孔の中心線から上端までの距離の２倍以上となるフロートが望ましく、２．５倍以上となるフロートがさらに望ましい。
【考案の効果】
【０００６】
上記のように、水に浮かべた場合に、ロープ挿通孔の中心線がほぼ水面上に位置するとともに、そのロープ挿通孔の中心線から下端までの距離が、そのロープ挿通孔の中心線から上端までの距離より長い縦長の姿勢を保つフロートは、波がフロートの下を潜って隣のコースに波及することを抑制する機能が、従来のフロートに比して高いため、１つのコースを泳いでいる泳者によって発生させられた波がフロートの下を潜って隣のコースまで波及することを良好に抑制することができる。
【考案を実施するための形態】
【０００７】
以下に、本願において実用新案登録請求が可能と認識されている考案（以下、「請求可能考案」という場合がある。請求可能考案は、少なくとも、請求の範囲に記載された考案である「本考案」ないし「本願考案」を含むが、本願考案の下位概念考案や、本願考案の上位概念あるいは別概念の考案を含むこともある。）の態様をいくつか例示し、それらについて説明する。各態様は請求項と同様に、項に区分するとともに各項に番号を付し、必要に応じて他の項の番号を引用する形式で記載する。これは、あくまでも請求可能考案の理解を容易にするためであり、請求可能考案を構成する構成要素の組み合わせを、以下の各項に記載されたものに限定する趣旨ではない。つまり、請求可能考案は、各項に付随する記載，実施例の記載，従来技術等を参酌して解釈されるべきであり、その解釈に従う限りにおいて、各項の態様にさらに他の構成要素を付加した態様も、また、各項の態様から構成要素を削除した態様も、請求可能考案の一態様となり得るのである。
【０００８】
（１）  プールにおいてコースを仕切るコースロープに取り付けられるフロートであって、
コースロープが挿通されるロープ挿通孔を備え、そのロープ挿通孔に直角な切断平面による横断面形状が左右方向より上下方向に長い縦長形状であり、水に浮かべた場合に、前記ロープ挿通孔の中心線がほぼ水面上に位置するとともに、そのロープ挿通孔の中心線から下端までの距離が、そのロープ挿通孔の中心線から上端までの距離より長くなる縦長の姿勢を保つ比重配分とされたコースロープ用フロート。
（２）前記縦長の姿勢が、ロープ挿通孔の中心線から下端までの距離が、そのロープ挿通孔の中心線から上端までの距離の１．５倍以上となる(1)項に記載のコースロープ用フロート。
（３）  前記縦長の姿勢が、前記ロープ挿通孔の中心線から下端までの距離がロープ挿通孔の中心線から上端までの距離の２倍以上となる(1)項に記載のコースロープ用フロート。
（４）  前記縦長の姿勢が、前記ロープ挿通孔の中心線から下端までの距離がロープ挿通孔の中心線から上端までの距離の２．５倍以上となる(1)項に記載のコースロープ用フロート。
（５）  前記横断面形状が、上下方向の中間部においてくびれた形状を成す(1)項ないし(4)項のいずれかに記載のコースロープ用フロート。
横断面形状を、概して、円形を上下に２つ重ねた形状とすることも可能であり、それぞれ円形を成す上部と下部とを平板状のつなぎ部で繋いだ形状とすることも、中間部がなだらかにくびれた瓢箪形とすることも可能である。
（６）  前記横断面形状が、前記ロープ挿通孔の中心線の位置から下方へ垂下した幅一定部を備えた形状を成す(1)項ないし(4)項のいずれかに記載のコースロープ用フロート。
幅一定部によりつながれる上部と下部との形状は特に限定されず、例えば、それぞれ半円形を成すものとしても、概して矩形を成し、その矩形の幅一定部から遠い側の両角が丸められたものとしてもよい。
（７）前記横断面形状が、前記ロープ挿通孔の中心線の位置から下方へ垂下した幅漸減部を備えた形状を成す(1)項ないし(4)項のいずれかに記載のコースロープ用フロート。
（８）前記横断面形状が、前記ロープ挿通孔の中心線の位置から下方へ垂下した幅漸増部を備えた形状を成す(1)項ないし(4)項のいずれかに記載のコースロープ用フロート。
（９）上部に密閉された空洞を備えた(1)項ないし(8)項のいずれかに記載のコースロープ用フロート。
（１０）下部に当該フロートの本体を形成する材料より比重の大きい材料から成る錘が配設された(1)項ないし(9)項のいずれかに記載のコースロープ用フロート。
（１１）前記ロープ挿通孔の中心線に平行な方向における中間部が、前記横断面形状を規定する外壁部と、その外壁部の内側に形成されて外部と連通させられた解放空洞部とを備えた(1)項ないし(10)項のいずれかに記載のコースロープ用フロート。
【図面の簡単な説明】
【０００９】
【図１】本考案の一実施例であるコースロープ用フロートの外形を示す正面図である。
【図２】上記フロートを示す側面断面図である。
【図３】図２におけるＡ−Ａ断面図である。
【図４】上記フロートの複数個にコースロープが挿通され、プールに設置された状態を示す側面図である。
【図５】本考案の別の実施例であるコースロープ用フロートを示す正面図である。
【図６】図５に示したコースロープ用フロートの側面図である。
【図７】本考案のさらに別の実施例であるコースロープ用フロートを示す正面断面図である。
【図８】図７に示したコースロープ用フロートの側面図である。
【図９】本考案のさらに別の実施例であるコースロープ用フロートの外形を示す正面図である。
【図１０】本考案のさらに別の実施例であるコースロープ用フロートの外形を示す正面図である。
【図１１】本考案のさらに別の実施例であるコースロープ用フロートの外形を示す正面図である。
【実施例】
【００１０】
本考案の一実施例であるコースロープ用フロート(以下、フロートと略称する)を図１ないし４に示す。本フロート１０は、図４に示すように、水泳プールのコースを仕切るコースロープ１２を挿通して使用されるものであり、そのために、図１に示すようにロープ挿通孔１４を備えている。フロート１０は、ロープ挿通孔１４を備えた上部１６とその下端から垂下した下部１８とから成っており、上下方向の中間部が幅方向にくびれて瓢箪形の正面形状を有している。
【００１１】
上記ロープ挿通孔１４にコースロープ１２が挿通されて水泳プールに設置された状態では、コースロープ１２が、図１に二点鎖線で示す水面２０と同じ高さに位置するとともに、上部１６が上、下部１８が下になる上下方向に立ち上がった姿勢を保つようにされている。
すなわち、フロート１０全体が硬質の合成樹脂(例えば、ポリエチレン，塩化ビニール等に発泡剤を加えた混合材)により形成されているが、上部１６の内部には、図２および図３から明らかなように空気が充満した密閉空間２２が形成される一方、下部１８には外部に連通した開放空間２４が形成されるとともに、その開放空間２４の下端部には金属(例えばステンレス鋼)製の錘２６が固定され、水泳プールに設置された状態では開放空間２４がほぼ水で満たされるようにされているのであり、その結果、上記のように上下方向に立ち上がった姿勢を保つのである。そして、この状態では、図２に示すロープ挿通孔１４の中心線２８からフロート１０の下端までの距離が、中心線２８からフロート１０の上端までの距離の約３倍となる。
【００１２】
以上の構成を有するフロート１０とコースロープ１２との組立体を便宜上コース仕切３０と称することとするが、このコース仕切３０は、水泳プールを複数のコースに仕切る役割を果たすとともに、互いに隣接するコースの一方から他方へ波が波及することを抑制する役割を果たす。すなわち、泳者がコースを泳ぐとき波が立つのであるが、この波が隣のコースに波及すると隣のコースの泳者の泳ぎの邪魔になる。競泳時のタイムを悪化させると言われているほどである。また、水泳プールの周壁には段部が形成されるとともに、その段部に溝が形成されて、余分な水が排水されるようになっていることが多いが、上記波の波及が激しい場合には予定外に多くの水が排水されてしまうとも言われている。
【００１３】
そこで、本願考案の考案者が従来のコース仕切が設置されている水泳プールについて調べた結果、隣接コースへの波の波及がフロートの上を越えて行われることがあることは勿論であるが、フロートの下を潜っても波及するのであり、従来のコース仕切ではこの下を潜っての波の波及を抑制する機能が十分とは言えないことを発見した。従来のフロートは、ロープ挿通孔の中心線を中心とする円形の正面形状を備えており、コースロープが水面と同じ高さにある状態で、フロートの直径がそれの上を越えての波の波及を抑制するに十分な大きさに選定されていたため、上を越えての波及を抑制するに十分な機能は備えているのであるが、下を潜っての波及を抑制する機能は十分とは言い得なかったのである。
【００１４】
それに対し、本実施例のフロート１０は、上部１６の直径を従来のフロートの直径と等しくし、かつ、コースロープ１２が水面２０と同じ高さに位置するように水泳プールに設置した場合に、フロート１０の上を越えての波の波及は勿論、下を潜っての波及も良好に抑制し得る。その理由の主たるものは、ロープ挿通孔１４の中心線２８からフロート１０の下端までの距離が、中心線２８からフロート１０の上端までの距離の約３倍とされていることであるが、本実施例のフロート１０は正面形状が上下方向の中間部においてくびれた瓢箪形を成していることも理由の１つと考えられる。
【００１５】
本考案の別の実施例を図５および図６に示す。本実施例は、上記実施例における上部１６と下部１８とを互いに別体のものとして製造した上で、それら両部１６，１８を接続部３６により接続してフロート３８としたものである。図示のフロート３８は、上部１６の下端から垂下させられた第１接続部４０と、下部１８の上端から立ち上がらされた第２接続部４２とが、接着剤により互いに接着されて成るものであり、前述のフロート１０と類似の波波及抑制機能を果たす。本フロート７０は、使用時における縦長の姿勢において、ロープ挿通孔１４の中心線から下端までの距離がロープ挿通孔１４の中心線から上端までの距離の３倍より大きくなる。
なお、本フロート３８は、上部１６と下部１８とを別体に製造し得る点において、前記フロート１０に比較して製造が容易となる利点を有するが、両部１６，１８が一旦接着された後は分離が不可能である。
【００１６】
それに対し、第１接続部４０と第２接続部４２との接続が、複数組のボルト，ナット、あるいは、マジックテープ（登録商標），ベルクロ（登録商標）等と称して市販されている面ファスナにより行われるようにすれば、上部１６と下部１８とを必要に応じて分離することが可能となり、使い勝手が向上する効果が得られる。
【００１７】
さらに、面ファスナに代えて、ジッパー，チャック等とも称されて市販されている線ファスナを使用することも可能である。
ただし、線ファスナは、単純に面ファスナの代わりとして、上記第１接続部４０と第２接続部４２との接続に使用することも可能であるが、上部１６と下部１８とに代えて、図７および図８に示すように、それぞれ軟質材料から成る外皮５０，５４内に詰め物５２，５６が詰められた上部６０と下部６２とを備え、外皮５０，５４の各両端部が互いに接合されて成る第１接続部６４と第２接続部６６とを接続する線ファスナ６８とするのに適している。
【００１８】
上記上部６０の詰め物５２としては、例えば、発泡スチロールの砕片のように、見かけ上の比重が１よりはるかに小さいものが適しており、一方、下部６２の詰め物５６としては、例えば、ガラス繊維等の鉱物の細片や、金属の細片を含んで比重が１より大きいポリプロピレン製やポリスチレン製のボールのように、比重が１より大きい充填材入りの合成樹脂製粒体が望ましいが、比重が１より小さい合成樹脂製粒体と比重が１より大きい金属製あるいは鉱物製の粒体との混合物のように、平均して比重が１より大きくなるものの採用も可能である。
また、上記外皮５０，５４は、液体は勿論、気体も通さないゴムあるいは軟質合成樹脂製の不透過性シートとすることも、外皮５０，５４のいずれか一方を気体および液体を通す透過性シートとすることも可能である。特に下部６２の外皮５４を透過性シート製とすれば、使用時に、下部６２内に水泳プールの水が侵入して下部６２の浮力を小さくし、フロート７０が、上部６０が上、下部６２が下の立ち上がった姿勢を維持し易くなる効果が得られる。
【００１９】
さらに、いずれも使用状態において図９，１０および１１に示す縦長の姿勢となるフロート８０，９０，１００とすることも可能である。すなわち、上下方向に立ち上がった姿勢を維持するするとともに、コースロープ挿通孔１４の中心線が水面２０と同じ高さに位置することを前提として、正面形状（あるいは、コースロープ挿通孔１４の中心線に直角な切断平面による横断面形状）が、それぞれ図９，１０および１１に示すように、ロープ挿通孔１４の中心線の位置から下方へ垂下した幅一定部８２を備えた形状のフロート８０、ロープ挿通孔１４の中心線の位置から下方へ垂下した幅漸減部９２を備えた形状のフロート９０、およびロープ挿通孔１４の中心線の位置から下方へ垂下した幅漸増部１０２を備えた形状のフロート１００によっても類似の効果を得ることができる。ただし、フロートの下を潜って波が波及することを抑制する効果は、図１１に示すフロート１００が最も優れ、図９に示すフロート８０が次に優れている。一方、上部に空気が充満した密閉空間を形成し、下部に錘を内蔵させて、使用時に立ち上がった姿勢を安定に保たせる上では、図１０のフロート１０の形状が最も適し、図９のフロートが次に適している。
【００２０】
なお、フロート８０，９０，１００はいずれも、正面形状（あるいは横断面形状）を概念的に示したのみで、具体的な構造は問わない。例えば、図１ないし４に示したフロート１０と同様の構造とすることも、図７，８に示したフロート７０に類似の構造とすることも可能である。
【００２１】
また、図１ないし４のフロート１０、ならびに図９，１０，１１のフロート８０，９０，１００はずれも、コースロープ挿通孔１４の中心線２８から下端までの距離が、中心線２８から上端までの距離の３倍あるいはそれ以上とされているが、それより小さくしても従来のフロートに比較すれば、下を潜っての波の波及を良好に抑制することができる。例えば、２．５倍以上３倍未満、２倍以上２．５倍未満、１．５倍以上２倍未満としても本願考案の効果が得られるのである。
【符号の説明】
【００２２】
１０：コースロープ用フロート(フロート)      １２：コースロープ    １４：ロープ挿通孔    １６：上部    １８：下部    ２０：水面    ２２：密閉空間    ２４：開放空間    ２６：錘    ２８：中心線    ３０：コース仕切    ３６：接続部    ３８：フロート    ４０：第１接続部    ４２：第２接続部    ５０，５４：外皮    ５２，５６：詰め物    ６０：上部    ６２：下部    ６４：第１接続部    ６６：第２接続部    ６８：線ファスナ    ７０：フロート    ８０，９０，１００：フロート
【図１】
0003186817.tif 000003
【図２】
0003186817.tif 000004
【図３】
0003186817.tif 000005
【図４】
0003186817.tif 000006
【図５】
0003186817.tif 000007
【図６】
0003186817.tif 000008
【図７】
0003186817.tif 000009
【図８】
0003186817.tif 000010
【図９】
0003186817.tif 000011
【図１０】
0003186817.tif 000012
【図１１】
0003186817.tif 000013